(57)【要約】【課題】  ブースの外壁に作用する力をアンカーボルトに伝達するための構成を簡略化させ、且つ、組立作業の容易化を図ることができるブース基礎構造を提供すること。【解決手段】  コンクリート製基礎と、上記コンクリート製基礎に固定された土台と、  上記土台に設置され上記土台を補強する土台補強材と、を具備してなるブース基礎構造において、上記土台補強材は、上記土台の内側に内装され上記コンクリート製基礎から延長されるアンカーボルトが固定される土台補強材本体と、上記土台補強材本体から上方に向かって延長され上記ブースの側壁相互間に挿し込まれて固定される延長部と、から構成されているもの。【選択図】  図８
2019152028.tif 000002
【特許請求の範囲】
【請求項１】
コンクリート製基礎と、
上記コンクリート製基礎に固定された土台と、
上記土台に設置され上記土台を補強する土台補強材と、
を具備してなるブース基礎構造において、
上記土台補強材は、上記土台の内側に内装され上記コンクリート製基礎から延長されるアンカーボルトが固定される土台補強材本体と、上記土台補強材本体から上方に向かって延長され上記ブースの側壁相互間に挿し込まれて固定される延長部と、から構成されていることを特徴とするブース基礎構造。
【請求項２】
請求項１記載のブース基礎構造において、
上記土台補強材本体は矩形形状の短管を横向きにした形状をなしていて、上記延長部はその上辺から一体に延長されていて、上記アンカーボルトはその下辺に固定されていることを特徴とするブース基礎構造。
【請求項３】
請求項１又は請求項２記載のブース基礎構造において、
上記土台には切欠部が設けられていて、上記延長部はこの切欠部を通って上方に延長されていることを特徴とするブース基礎構造。
【請求項４】
請求項１〜請求項３の何れかに記載のブース基礎構造において、
上記土台はチャンネル形00状をなしていることを特徴とするブース基礎構造。
【発明の詳細な説明】
【技術分野】
【０００１】
本発明は、ブース基礎構造に係り、特に、ブースを構成する外壁に作用する力をアンカーボルトに伝達するための構成を簡略化させ、且つ、組立作業の容易化を図ることができるように工夫したものに関する。
【背景技術】
【０００２】
従来のブース基礎構造は、例えば、図９に示すような構成をなしている。まず、捨てコンクリート２０１があり、この捨てコンクリート２０１の上にはコンクリート製基礎２０３が設置されている。上記捨てコンクリート２０１とコンクリート製基礎２０３にはアンカーボルト２０５、２０５が埋設されていて、それらアンカーボルト２０５、２０５の上端部は上記コンクリート製基礎２０３から上方に露出・配置されている。そして、上記コンクリート製基礎２０３の上にブース２０７が設置されている。
【０００３】
上記ブース２０７であるが、まず、上記コンクリート製基礎２０３上にはチャンネル状土台２０９が設置されている。上記チャンネル状土台２０９には逆Ｔ字形状をなす下部補強材２１３が設置されているとともに、その上には逆Ｌ字形状をなす上部補強材２１５、２１７が設置されている。上記下部補強材２１３と上部補強材２１５、２１７はボルト２１９、ナット２２１、ワッシャ２２２によって締結・固定されている。又、上記下部補強材２１３はそれぞれのアンカーボルト２０５にナット２２３、２２５、ワッシャ２２７によって固定されている。
【０００４】
又、上記チャンネル状土台２０９の上には逆Ｔ字形状をなす支持部材２２７が設置されていて、この支持部材２２７を挟んで左右両側にはラチスパネル２２９と透明パネル２３１が設置されている。上記ラチスパネル２２９の角部には角部補強材２３３が設置されているともとに、上記透明パネル２３１の角部にも角部補強材２３５が設置されている。
【０００５】
上記角部補強材２３３と上記ラチスパネル２２９と上記支持部材２２７と上記透明パネル２３１と上記角部補強材２３５はボルト２３７、ナット２３９、ワッシャ２４０によって締結・固定されている。又、上記上部補強材２１５と上記チャンネル状土台２０９と上記支持部材２２７と上記ラチスパネル２２９と上記角部補強材２３３はボルト２４１、ナット２４３、２４５、ワッシャ２４６によって締結・固定されている。又、上記上部補強材２１７と上記チャンネル状土台２０９と上記支持部材２２７と上記透明パネル２３１と上記角部補強材２３５はボルト２４１、ナット２４３、２４５、ワッシャ２４６によって締結・固定されている。
【０００６】
同種のブース基礎構造の構成を開示するものとして、例えば、特許文献１、等がある。
【０００７】
特許文献１に記載された発明による「基礎」の場合には、チャンネル状鋼製土台があり、このチャンネル状鋼製土台の上に構造用合板と壁下枠が設置され、この壁下枠の上にスタッドが設置されている。又、上記チャンネル状土台の内側には土台補強金具が内装されている。そして、上記チャンネル状土台と土台補強金具にアンカーボルトが連結されている。又、上記スタッドはボルトによって上記チャンネル状土台と土台補強金具に連結されている。
【０００８】
上記構成において、上記スタッドに作用する力はボルトを介して上記チャンネル状土台と土台補強金具に伝達され、そこから上記アンカーボルトに伝達される構成になっている。
【先行技術文献】
【特許文献】
【０００９】
【特許文献１】特開２００１−５５７９３号公報
【発明の概要】
【発明が解決しようとする課題】
【００１０】
上記従来の構成によると次のような問題があった。
まず、図９に示したブース基礎構造の場合であるが、その構成が複雑で、且つ、組立作業が煩雑であるという問題があった。すなわち、それぞれ別個に設けられた下部補強材２１３、上部補強材２１５、２１７、支持部材２２７、角部補強材２３３、２３５が必要になり、それら別個に設けられた複数個の部品を組み立てながら締結・固定する必要があるからである。
特許文献１に記載された発明の場合も同様であり、スタッドに作用する力をボルト及び土台補強金具を介してアンカーボルトに伝達する構成になっており、ブースを構成する外壁に作用する力をアンカーボルトに伝達するための構成が複雑であるという問題があった。
又、当然のことながらそれを組立作業も面倒であった。
によるブース基礎構造は、によるブース基礎構造は、
【００１１】
本発明はこのような点に基づいてなされたものでその目的とするところは、ブースの外壁に作用する力をアンカーボルトに伝達するための構成を簡略化させ、且つ、組立作業の容易化を図ることができるブース基礎構造を提供することにある。
【課題を解決するための手段】
【００１２】
上記課題を解決するべく本願発明の請求項１によるブース基礎構造は、コンクリート製基礎と、上記コンクリート製基礎に固定された土台と、上記土台に設置され上記土台を補強する土台補強材と、を具備してなるブース基礎構造において、上記土台補強体は、上記土台の内側に内装され上記コンクリート製基礎から延長されるアンカーボルトが固定される土台補強材本体と、上記土台補強材本体から上方に向かって延長され上記ブースの側壁相互間に挿し込まれて固定される延長部と、から構成されていることを特徴とするものである。
又、請求項２によるブース基礎構造は、請求項１記載のブース基礎構造において、上記土台補強材本体は矩形形状の短管を横向きにした形状をなしていて、上記延長部はその上辺から一体に延長されていて、上記アンカーボルトはその下辺に固定されていることを特徴とするものである。
又、請求項３によるブース基礎構造は、請求項１又は請求項２記載のブース基礎構造において、上記土台には切欠部が設けられていて、上記延長部はこの切欠部を通って上方に延長されていることを特徴とするものである。
又、請求項４によるブース基礎構造は、請求項１〜請求項３の何れかに記載のブース基礎構造において、上記土台はチャンネル形状をなしていることを特徴とするものである。
【発明の効果】
【００１３】
以上述べたように本願発明の請求項１によるハウス基礎構造によると、コンクリート製基礎と、上記コンクリート製基礎に固定された土台と、上記土台に設置され上記土台を補強する土台補強材と、を具備してなるブース基礎構造において、上記土台補強材は、上記土台の内側に内装され上記コンクリート製基礎から延長されるアンカーボルトが固定される土台補強材本体と、上記土台補強材本体から上方に向かって延長され上記ブースの側壁相互間に挿し込まれて固定される延長部と、から構成されているので、ブースの外壁に作用する力をアンカーボルトに伝達するための構成を簡略化させ、且つ、組立作業の容易化を図ることができる。
又、請求項２によるブース基礎構造によると、請求項１記載のブース基礎構造において、上記土台補強材本体は矩形形状の短管を横向きにした形状をなしていて、上記延長部はその上辺から一体に延長されていて、上記アンカーボルトはその下辺に固定されているので、アンカーボルトの固定部位が外側にはみ出るようなこともない。
又、請求項３によるブース基礎構造によると、請求項１又は請求項２記載のブース基礎構造において、上記土台には切欠部が設けられていて、上記延長部はこの切欠部を通って上方に延長されているので、延長部が外側に大きくはみ出るようなこともない。
又、請求項４によるブース基礎構造によると、請求項１〜請求項３の何れかに記載のブース基礎構造において、上記土台はチャンネル形状をなしているので、土台補強体が外側にはみ出るようなこともない。
【図面の簡単な説明】
【００１４】
【図１】本発明の一実施の形態を示す図で、ブースの正面図である。
【図２】本発明の一実施の形態を示す図で、図１のＩＩ−ＩＩ矢視図である。
【図３】本発明の一実施の形態を示す図で、図２のＩＩＩ−ＩＩＩ矢視部である。
【図４】本発明の一実施の形態を示す図で、図１のＩＶ−ＩＶ矢視図である。
【図５】本発明の一実施の形態を示す図で、図２のＶ−Ｖ断面図である。
【図６】本発明の一実施の形態を示す図で、図１のＶＩ−ＶＩ断面図である。
【図７】本発明の一実施の形態を示す図で、図７（ａ）は透明パネル同士の連結部の直下のブース基礎構造を示す一部平面図、図７（ｂ）は同上の一部正面図、図７（ｃ）は図７（ｂ）のｃ−ｃ断面図である。
【図８】本発明の一実施の形態を示す図で、図８（ａ）はラチスパネルと透明パネルの連結部の直下の基礎構造を示す一部平面図、図８（ｂ）は同上の一部正面図、図８（ｃ）は図８（ｂ）のｃ−ｃ断面図である。
【図９】従来例を示す図で、図９（ａ）はブース基礎構造を示す一部正面図、図９（ｂ）は図９（ａ）のｂ−ｂ矢視図である。
【発明を実施するための形態】
【００１５】
以下、図１乃至図８を参照して本発明の一実施の形態を説明する。図１は本実施の形態におけるブース１の正面図、図２は図１のＩＩ−ＩＩ矢視図、図３は図２のＩＩＩ−ＩＩＩ矢視図、図４は図１のＩＶ−ＩＶ矢視図、である。
【００１６】
まず、上記ブース１の概略の構成を説明する。図１に示すように、捨てコンクリート２があり、この捨てコンクリート２の上にはコンクリート製基礎３が設置されている。このコンクリート製基礎３の上であってブース１の正面側にはチャンネル状土台５ａ、５ｂが設置されている。又、図２に示すように、上記ブース１の右側の側面にはチャンネル状土台５ｃが設置されている。又、図３に示すように、上記ブース１の背面側には、チャンネル状土台５ｄ、５ｅが設置されている。さらに、図４に示すように、上記ブース１の左側の側面にはチャンネル状土台５ｆが設置されている。
【００１７】
上記チャンネル状土台５ａ、５ｂ、５ｃ、５ｄ、５ｅ、５ｆの上であって四隅には柱材７、９、１１、１３が立設されている。又、上記柱材７、９の間には、図１に示すように、透明パネル１５、１７、ラチスパネル１９、透明パネル２１、２３が設置されている。又、上記柱材９、１１の間には、図２に示すように、ラチスパネル２５、透明パネルドア２７が設置されている。又、上記柱材１１、１３の間には、図３に示すように、透明パネル２９、３１、ラチスパネル３３、透明パネル３５、３７が設置されている。さらに、上記柱材１３、７の間には、図４に示すように、透明パネルドア３９、ラチスパネル４１が設置されている。
【００１８】
上記ラチスパネル１９は化粧パネルであり、例えば、アルミニウム製の枠材１９ａの内側に複数個の棒材１９ｂを透かし組んだ構成をなしている。その他のラチスパネル２５、３３、４１も同様であり、ラチスパネル２５は枠材２５ａと複数個の棒材２５ｂとから構成されていて、ラチスパネル３３は枠材３３ａと複数個の棒材３３ｂとから構成されていて、ラチスパネル４１は枠材４１ａと複数個の棒材４１ｂとから構成されている。
【００１９】
上記透明パネル１５は、図７（ａ）に示すように、アルミニウム製の枠材１５ａの内側にガラス１５ｂを嵌め込んだ構成をなすものである。その他の透明パネル１７、２１、２３、２９、３１、３５、３７も同様であり、透明パネル１７は枠材１７ａとガラス１７ｂとから構成されていて、透明パネル２１は枠材２１ａとガラス２１ｂとから構成されていて、透明パネル２３は枠材２３ａとガラス２３ｂとから構成されていて、透明パネル２９は枠材２９ａとガラス２９ｂとから構成されていて、透明パネル３１は枠材３１ａとガラス３１ｂとから構成されていて、透明パネル３５は枠材３５ａとガラス３５ｂとから構成されていて、透明パネル３７は枠材３７ａとガラス３７ｂとから構成されている。
【００２０】
又、上記透明パネルドア２７は、図２に示すように、アルミニウム製の枠材２７ａの内側にガラス板２７ｂを嵌め込んだものであって、把持部を備えていてヒンジを介して開閉自在に取り付けられたものである。上記透明パネルドア３９も同様であり、枠材３９ａとガラス板３９ｂとから構成されている。
【００２１】
上記四隅の柱材７、９、１１、１３、複数のラチスパネル１９、２５、３３、４１透明パネル１５、１７、２１、２３、２９、３１、３５、３７、透明パネルドア２７、３９の上には天井４３が設置されている。上記天井４３は枠材４５と、この枠材４５の間に設置された図示しない梁材と、これら枠材４５と梁材との間に設置されたパネル（図示せず）と、から構成されている。
【００２２】
上記天井４３上には空調室外機５１、空調室内機用カバー５３、換気扇用カバー５５が設置されている。図５に示すように、上記空調室内機用カバー５３の内側には空調室内機５７が設置されている。又、上記換気扇用カバー５５の内側には換気扇５９が設置されている。又、図５に示すように、ブース１内には、アルミニウム製の分電盤収納ボックス６１が設置されていて、この分電盤収納ボックス６１内には動力用分電盤６３、電灯用分電盤６５が設置されている。又、上記分電盤収納ボックス６１の下部にはコンセント６７が設置されている。又、上記ブース１内であって上記天井４１の内側にはスピーカ７１が設置されている。
【００２３】
次に、ブース１のブース基礎構造について説明する。
まず、透明パネル１３、１５の境界部の基礎構造、例えば、図１のＶＩＩ部におけるブース基礎構造を説明する。図７は図１のＶＩＩ部を拡大して示す図で、図７（ａ）はブース基礎構造の一部平面図、図７（ｂ）は同上の一部正面図、図７ｃは図７（ｂ）のｃ−ｃ断面図である。
既に説明した捨てコンクリート２及びコンクリート製基礎３にはアンカーボルト８３が埋設されていて、このアンカーボルト８３の上端部は上記コンクリート製基礎３から上方に露出・配置されている。
【００２４】
既に説明したチャンネル状土台５ａは上記アンカーボルト８３にナット８５、８７、８９、ワッシャ９１、９３によって締結・固定されている。又、上記チャンネル状土台５ａの上にはスペーサ９５を介して既に説明した透明パネル１５、１７が設置されている。上記透明パネル１５、１７の間にはスペーサ９６が介挿されていて、上記スペーサ９５はこのスペーサ９６に固定ねじ９８によって固定されている。そして、上記透明パネル１５、１７は上記スペーサ９６を挟んでボルト９７、ナット９９、ワッシャ１００によって締結・固定されている。
【００２５】
又、上記チャンネル状土台５ａと支持部材９５と透明パネル１５はボルト１０１、ナット１０３、１０５、ワッシャ１０６によって締結・固定されている。同様に、上記チャンネル状土台５ａと支持部材９５と透明パネル１５もボルト１０１、ナット１０３、１０５、ワッシャ１０６によって締結・固定されている。
尚、透明パネル２１と透明パネル２３との境界部、透明パネル２９と透明パネル３１との境界部、透明パネル３５と透明パネル３７との境界部も同様のブース基礎構造になっている。
【００２６】
次に、ラチスパネル１９と透明パネル２１との境界部の基礎構造、例えば、図１のＶＩＩＩ部のブース基礎構造を説明する。図８は図１のＶＩＩＩ部を拡大して示す図で、図８（ａ）はブース基礎構造の一部平面図、図８（ｂ）はブース基礎構造の一部正面図、図８（ｃ）は図８（ｂ）のｃ−ｃ断面図である。
【００２７】
上記チャンネル状土台５ａには土台補強材１１１が設置されている。この土台補強材１１１は、土台補強材本体１１３と、延長部１１５と、から構成されている。上記土台補強材本体１１３は矩形形状の短管を横向きにした形状をなしていて、内側に中空部１１７を備えた構成になっている。上記土台補強材本体１１３は上記中空部１１７の下辺にて、アンカーボルト８３にナット８５、８７、８９、ワッシャ９１、９３によって締結・固定されている。
【００２８】
一方、上記延長部１１５は平板形状をなしていて、上記チャンネル状土台５ａに形成された切欠部１２１を介して上方に延長されている。上記延長部１１５の左右両側には上記ラチスパネル１９と上記透明パネル２１が配置されている。そして、上記ラチスパネル１９７と上記延長部１１５と上記透明パネル２１とは、ボルト１２３、ナット１２５、ワッシャ１２６によって締結・固定されている。
【００２９】
又、上記ラチスパネル１９とチャンネル状土台５ｂとの間にはスペーサ１３１が介挿されていて、その状態でボルト１３３、ナット１３５、１３７、ワッシャ１３８によって締結・固定されている。又、上記透明パネル２１とチャンネル状土台５ｂとの間にもスペーサ１３９が介挿されていて、その状態でボルト１４１、ナット１４３、１４５、ワッシャ１４６によって締結・固定されている。
尚、透明パネル１７とラチスパネル１９との境界部、ラチスパネルら２５と透明パネルドア２７との境界部、透明パネル３１とラチスパネル３３との境界部、ラチスパネル３３と透明パネル３５との境界部、透明パネルドア３９とラチスパネル４１との境界部も同様のブース基礎構造になっている。
【００３０】
以上の構成を基にその作用を説明する。
まず、用途であるが、ブース１は様々な用途に使用される。例えば、屋外で行われる各種展示会、イベント、等において、展示室、ショップ、等として使用される。その際、透明パネル１５、１７、２１、２３、２９、３１、３５、３７、透明パネルドア２７、３９によって外部からの視認性を提供する。又、上記透明パネルドア２７、３９は出入口として機能する。又、ラチスパネル１９、２５、３３、４１は内外の通気を実現する。又、空調用室内機５７、空調用室外機５１によってブース１内の空調をなし、換気扇５９によって換気を行う。
尚、土台補強材１１１をラチスパネルと透明パネル同士の境界部のみに使用しているのは次のような理由による。すなわち、ラチスパネル１９、２５、３３、４１においては面内方向の剪断荷重を負担するため引抜方向の補強が必要になるが、透明パネル１５、１７、２１、２３、２９、３１、３５、３７、透明パネルドア２７、３９においてはそのような事情が存在しないからである。
【００３１】
以上、本実施の形態によると次のような効果を奏することができる。
まず、ブース１の外壁、すなわち、ラチスパネル１９、２５、３３、４１に作用する力をアンカーボルト８３に伝達するための構成を簡略化させることができる。これは、土台補強材１１１を採用したからであり、土台補強材１１１が土台補強材本体１１３と延長部１１５とを一体化させた構成をなしているからである。
又、ブース１の外壁、すなわち、ラチスパネル１９、２５、３３、４１に作用する力をアンカーボルト８３に伝達するための構成を簡略化させることができたので、組立作業の容易化を図ることができる。
尚、その他の透明パネル同士の境界部も同様のブース基礎構造になっている。
【００３２】
尚、本発明は前記一実施の形態に限定されるものではない。
まず、土台補強材の形状は図示したものに限定されない。要は、土台補強材本体と延長部とが一体化された形状をなしていればよく、様々な形状か想定される。
又、前記一実施の形態の場合には、ラチスパネルと透明パネルの境界部の下部の基礎構造に本発明による土台補強材を使用したが、全てのパネルの境界部の下部において本発明による土台補強材を使用しても良い。
その他、図示した構成はあくまで一例でありそれに限定されるものではない。
【符号の説明】
【００３３】
１  ブース
２  捨てコンクリート
３  コンクリート製基礎
５ａ〜５ｆ  チャンネル状土台
７  支柱
９  支柱
１１  支柱
１３  支柱
１５  透明パネル
１７  樋名パネル
１９  ラチスパネル
２１  透明パネル
２３  透明パネル
２５  ラチスパネル
２７  透明パネルドア
２９  透明パネル
３１  透明パネル
３３  ラチスパネル
３５  透明パネル
３７  透明パネル
３９  透明パネルドア
４１  ラチスパネル
８３  アンカーボルト
１１１  土台補強材
１１３  土台補強材本体
１１５  延長部
１２１  切欠部
【図１】
2019152028.tif 000003
【図２】
2019152028.tif 000004
【図３】
2019152028.tif 000005
【図４】
2019152028.tif 000006
【図５】
2019152028.tif 000007
【図６】
2019152028.tif 000008
【図７】
2019152028.tif 000009
【図８】
2019152028.tif 000010
【図９】
2019152028.tif 000011